(57)【要約】      （修正有）【課題】従来のビニールハウスにおける日照不足による収穫量減少を解消し、太陽光の取入れを効率よく行えるようにして作物の育成を効率よく行って収穫量を増加させることができるようにする園芸施設を提供する。【解決手段】屋根及び外周面にビニールシート６を張設した農作物を栽培するためのビニールハウスと称される園芸施設であって、該園芸施設の屋根の構造を南側の屋根２の勾配を北側の屋根３の勾配よりも緩くすると共に北側の屋根３の長さの少なくとも１．８倍の長さに設定し、南北方向に栽培ベッド７を密接させて設置し、さらに前記南側の屋根２の内側に、手動もしくは電動で屋根の頂部付近もしくは下端部付近に集積できる遮光カーテン８が張設される。【選択図】図１
2020054294.tif 000002
【特許請求の範囲】
【請求項１】
屋根及び外周面にビニールシートを張設した農作物を栽培するためのビニールハウスと称される園芸施設であって、
該園芸施設の屋根の構造を南側の屋根の勾配を北側の屋根の勾配よりも緩くすると共に北側の屋根の長さの少なくとも１．８倍の長さに設定し、
南北方向に栽培ベッドを密集させて設置したこと
を特徴とする園芸施設。
【請求項２】
前記南側の屋根の内側に、手動もしくは電動で屋根の頂部付近もしくは下端部付近に集積できる遮光カーテンが張設されること
を特徴とする請求項１に記載の園芸施設。
【請求項３】
前記ビニールシートは、光を散乱し影ができにくい品質の材料で形成されていること
を特徴とする請求項１乃至２のいずれかに記載の園芸施設。
【請求項４】
前記南側の屋根の側柱と北側の屋根の側柱との間の間隔は、少なくとも１５ｍ以上であり、中柱のないこと
を特徴とする請求項１乃至３のいずれかに記載の園芸施設。
【請求項５】
屋根を連棟式にした場合に、北側の屋根と南側の屋根とで形成される谷間における北側の屋根の側柱間に開閉できる開口部を設けておき、積雪時に開口部を開けて施設内に一時的に集雪できるようにしたこと
を特徴とする請求項１乃至４のいずれかに園芸施設。
【発明の詳細な説明】
【技術分野】
【０００１】
本発明は、トマトやイチゴ及びパブリカ等の農作物を栽培するためのビニールハウスと称される園芸施設に関するものである。
【背景技術】
【０００２】
この種の園芸施設としては、複数の施設が公知技術として知られている。例えば、第１の公知技術としては、アーチ材と梁材とを連結してハウス骨組を形成し、その上にビニールシートを張設した農園芸用ビニールハウスにおいて、ハウスの妻面に大きな開口部を形成し、該開口部を開閉するハングドアの上部を該開口部の上縁を画成する横枠材に回動自在に吊下し、ハングドアをハウスの外方、内方のいずれにも開閉自在にすると共に、ハングドアに出入口を形成し、該出入口を開閉する引戸をハングドアにスライド自在に取り付けたことを特徴とする農園芸用ビニールハウス、である（特許文献１）。
【０００３】
この第１の公知技術に係る農園芸用ビニールハウスによれば、ハングドアの開閉によりハウス妻面を大きく開口することが出来、ハウス内に大型の農耕用機械や器具の搬入が可能となりハウス内での農作業を効率良く行うことが出来ると共に、ハウジングドアはハウスの内方、外方のいずれにも開閉可能である為、ハウスの外部に積雪等があり外方への開放ができない場合にも、妻面の開閉を支障なく行うことが出来る。又、引戸を開閉することにより、ハングドアを閉止したままでハウス内に人が出入りすることが出来、ハウス内への人の出入りに際し大きなハングドアを開閉する必要がなく出入りを簡便に行うことが出来るのである、というものである。
【０００４】
第２の公知技術としては、アーチパイプ１を連続させ母屋パイプ２と胴縁パイプ３で固定し、屋根にビニール４を張り、母屋パイプ２と胴縁パイプ３との間は、ビニールを張らないでおき、風が自由に吹き抜けるようにしておくスリークオーター型連続パイプハウス、である（特許文献２）。
【０００５】
この第２の公知技術に係るスリークオーター型連続パイプハウスによれば、従来の雨除けハウスでは、換気装置を設置し換気作業を連日費やし、この作業を怠ると高温障害を受け作物の生育が安定しなかったが、このスリークオーター型連続パイプハウスでは、風が屋根と屋根の間を自由に吹き抜ける様にし、ハウス内の通気性をよくし、換気作業をなくすように改善した、というものである。
【０００６】
第３の公知技術としては、連棟園芸用ビニールハウスに於ける、妻止め垂木の接続部が、棟も谷も何れも妻面に於いて交差食い違いにならない様、接続組立の出来る平板を備えたことを特徴とする妻面の垂木取付金具Ａ、Ｂの構造、である（特許文献３）。
【０００７】
この第３の公知技術に係る妻面の垂木取付金具Ａ、Ｂの構造によれば、垂木止金具Ａ，垂木止金具Ｂは平板で出来て居り、これに合掌材の垂木を締め付けるとまったく食い違いが起こらないので妻面に凹凸が無く、ビニール張りを行うにも楽で破損も起こらす外観的にも美しくなる。さらに垂木止金具Ａは垂木止部が第３図に示す様に柱と桁と垂木止金具の三体を同時取り付けできる形状に成って居り、作業が簡単で、出来上がった時に非常に美しく、しかも堅牢である、というものである。
【先行技術文献】
【特許文献】
【０００８】
【特許文献１】特開昭６２−２１５３２７号の公開公報
【特許文献２】実開昭６０−１１４６５５号の公開公報
【特許文献３】実開平０３−１２７４２号の公開公報
【発明の概要】
【発明が解決しようとする課題】
【０００９】
前記第１の公知技術の発明においては、ビニールハウスの屋根が円弧状で妻面に対して左右が均等な長さに形成され、妻面には大きな開口部が形成され、該開口部に出入り口を有するハングドアを取付け、出入り口に引戸を設けた構成であるが、暑さ対策として遮光カーテンや換気装置が設置されていないし、高温障害により作物の生育に支障を来し収穫に大きく影響するという問題点（課題）を有している。
【００１０】
また、前記第２の公知技術の考案においては、前記第１の公知技術の発明に係る高温障害を防止するためにスリークオーター型連続パイプハウス構造とし、屋根と屋根の間を風が自由に吹き抜ける様にし、ハウス内の通気性をよくしたものであるが、屋根だけにしかビニールを張っていないで、周囲の柱となるパイプにはビニールを張り巡らせていないので、野生の小動物が自由に出入りできるばかりでなく、冬季においてハウス内の温度を維持できないので、それによって作物の育成に支障を来し収穫に大きく影響するという問題点（課題）を有している。
【００１１】
さらに、前記第３の公知技術の考案においては、連棟ビニールハウスが示されているが、このビニールハウスにおいても高温障害対策がなされていないので、前記公知例と同様に、作物の収穫に大きく影響するという問題点（課題）を有している。仮に、この公知例を含む従来技術の連棟ビニールハウスに高温障害対策として、遮光カーテンを取付けたにしても、例えば、図４に示したように、一般的に遮光カーテン２０は水平方向に張っているので、カーテンを開いた時にカーテンだまり２１が側柱２２側に形成されてしまい、該カーテンだまり２１の影２３と側柱２２の影２４とがハウスの中央部に形成されるばかりでなく、北側の屋根では矢印ｄで示すように太陽光を外側に反射し、作物２５はハウスの棟に沿って平行に栽培されるので、作物の育成に支障を来すという問題点も有している。
【００１２】
本発明は、前記課題を解決するために、太陽光の取入れを効率よく行えるようにして農作物の育成を効率よく行って収穫量を増加させることができるようにすると共に、ハウス内の温度を遮光カーテンで調整できるようにした園芸施設を提供することを目的とするものである。
【課題を解決するための手段】
【００１３】
本発明は前述の課題を解決する具体的手段として、屋根及び外周面にビニールシートを張設した農作物を栽培するためのビニールハウスと称される園芸施設であって、該園芸施設の屋根の構造を南側の屋根の勾配を北側の屋根の勾配よりも緩くすると共に北側の屋根の長さの少なくとも１．８倍の長さに設定し、南北方向に栽培ベッドを密集させて設置したことを特徴とする園芸施設を提供するものである。
【００１４】
上記発明において、前記南側の屋根の内側に、手動もしくは電動で屋根の頂部付近もしくは下端部付近に集積できる遮光カーテンが張設されること；前記ビニールシートは、光を散乱し影ができにくい品質の材料で形成されていること；前記南側の屋根の側柱と北側の屋根の側柱との間の間隔は、少なくとも１５ｍ以上であり、中柱のないこと；及び屋根を連棟式にした場合に、北側の屋根と南側の屋根とで形成される谷間における北側の屋根の側柱間に開閉できる開口部を設けておき、積雪時に開口部を開けて施設内に一時的に集雪できるようにしたこと；を付加的要件として含むものである。
【発明の効果】
【００１５】
本発明に係る園芸施設によれば、園芸施設であるビニールハウスの屋根構造を、南側の屋根の勾配を北側の屋根の勾配よりも緩くすると共に北側の屋根の長さの少なくとも１．８倍の長さに設定した採光性向上技術と、南北方向に密集させて設置した栽培ベッドとの相乗効果によって、従来のビニールハウスにおける日照不足による収穫量減少を解消し、収穫量を大幅に増加させることができるという優れた効果を奏するのである。
【図面の簡単な説明】
【００１６】
【図１】本発明の実施の形態に係る園芸施設を略示的に示した妻面側から見た説明図である。
【図２】同園芸施設を連棟式に構築した状態の一部を略示的に示した１実施例の妻面側から見た説明図である。
【図３】同園芸施設を連棟式に構築した状態の一部を略示的に示した他の実施例の妻面側から見た説明図である。
【図４】前記特許文献３を含む公知技術の連棟ハウスにおける問題点を説明するための一部を示した妻面側から見た説明図である。
【発明を実施するための形態】
【００１７】
本発明を図示の実施の形態に基づいて詳しく説明する。
まず、従来から金属パイプや鉄骨及びビニールシート等を使用して構築されてきたビニールハウスと称する農作物を栽培する同様の施設であって、図１に示した説明図について、園芸施設１は屋根の勾配を北側よりも南側の勾配を緩やかにし、且つ、南側に面する屋根２の長さは北側に面する屋根３の長さの少なくとも１．８倍程度の長さに形成すると共に、南側に位置する側柱４は北側に位置する側柱５よりも必然的に短く形成され、屋根２、３及び側柱４、５を囲うようにビニールシート６を張設し、両側柱４、５間は少なくとも１５ｍ以上で中柱のない幅の広いハウスに形成する。なお、前記ビニールシート６としては、例えば、光を散乱し影ができにくい品質の材料で形成される。
【００１８】
このように、幅の広いハウスであるため、幅方向、即ち、南北方向に設置した移動式の高設栽培（移動式で密集配設できる栽培ベッド）７を設けることが出来、それによって太陽光を効率よく受け入れて密集作物が順調に育成できるのである。なお、地盤面に栽培する土耕による密集栽培とすることもできる。そして、高温対策として南側に面する屋根２の内側には、遮光カーテン８が張設され、該遮光カーテン８は、手動もしくは電動で屋根の頂部付近もしくは下端部付近に集積させる（カーテンだまり８ａ）ことができ、そのカーテンだまり８ａによって生ずる日陰９が密集配設した栽培ベッド７上にできないようにし、作物にとって南側からの有効な太陽光が常時栽培ベッド７上に届くようにしたのである。
【００１９】
また、前記実施例では単棟式の園芸施設１について説明したが、これを図２に示したように、連棟式の１実施例に係る園芸施設とすることもできるのである。この場合でも、前記実施の形態と同様に南側に面する屋根２を北側に面する屋根３の勾配よりも緩やかにすると共に、その長さを少なくとも１．８倍程度の長さに形成するのである。この場合でも、太陽は東から登り西に沈むので、図において園芸施設１の手前の妻面側から太陽光が射し込み、該太陽光は多少南側に傾斜した状態で裏面の妻面側に移行するので、その間南側の屋根２から全面的に栽培ベッド７に効率よく太陽光を取り入れることができるのであり、屋根３の北側から太陽光が射し込むことはシーズンを通して少ないのである。
【００２０】
なお、この実施例の連棟式の園芸施設を冬季積雪地帯に設置する場合には、屋根２、３の除雪を行わなければならないので、例えば、前記屋根の谷間となる位置における北側の屋根３の側柱５間に開閉できる開口部を設けておき、該開口部を開放して谷間に集められた雪をハウス内の谷間に落下させて一時的に集雪し、ハウス内の温度で融雪して潅水に利用したり、またはハウス外に排出したりすることができる。この場合でも、本願発明の南北方向に設置した栽培ベッド７であるから、その端部が谷間にはないのでこのような除雪ができるのであり、従来技術のように棟と平行に設けられた栽培ベッドでは、そのような除雪はできないのである。
【００２１】
さらに、連棟式の実施例の場合は、地域や設置場所によっては、図３に示したように、他の実施例に係る園芸施設とすることもできるのである。この場合でも、前記実施の形態と同様に南側に面する屋根２を北側に面する屋根３の勾配よりも緩やかにすると共に、その長さを少なくとも１．８倍程度の長さに形成すると共に、北側の屋根３の勾配を急峻にして南側に位置する側柱４と北側に位置する側柱５の長さを略同一にする。このように構成することによって、北側の屋根３による太陽光の反射をなくし、ハウス内に取り込むことができるようにすることで、太陽光を効率よく取り入れることができるのである。
【００２２】
いずれにしても、太陽光は全面的に南側の屋根２に照射され、カーテンだまり８ａが有っても、その日陰９が密集配設した栽培ベッド７上に形成されることはないので、本発明に係る園芸施設であるビニールハウスの屋根構造における採光性向上技術と南北方向に密集して設置した栽培技術との相乗効果によって、従来のビニールハウスにおける日照不足による収穫量減少を解消し、収穫量を大幅に増加させることができるのである。
【産業上の利用可能性】
【００２３】
本発明に係る園芸施設１は、農作物を栽培するためのビニールハウスと称されるものであって、該園芸施設１の屋根の構造を南側の屋根２の勾配を北側の屋根３の勾配よりも緩くすると共に北側の屋根の長さの少なくとも１．８倍の長さに設定した採光性向上技術と、南北方向に栽培ベッド７を密集して設置した栽培技術との相乗効果によって、従来のビニールハウスにおける日照不足による収穫量減少を解消し、収穫量を大幅に増加させることができるので、この種のハウス栽培において広い範囲で使用可能である。
【符号の説明】
【００２４】
１  園芸施設
２  南側の屋根
３  北側の屋根
４、５、２２  側柱
６  ビニールシート
７  密集型栽培ベッド
８、２０  遮光カーテン
８ａ、２１  カーテンだまり
９、２３、２４  影
２５  作物
【図１】
2020054294.tif 000003
【図２】
2020054294.tif 000004
【図３】
2020054294.tif 000005
【図４】
2020054294.tif 000006